(57)【要約】【課題】本発明は、支持部品に部品を付設する際に、部品の方向づけを確実かつ容易に行うことができる部品実装構造を得ることにある。【解決手段】部品実装構造は、支持部材(15)と、支持部材(15)に対し予め決められた方向性を有して付設される部品(27, 32)とを備えている。支持部材(15)に、この支持部材(15)に対する部品(27, 32)の付設方向を示すマーク(51a, 51b, 51c, 61)が付設されている。【選択図】      図５
2008021804.tif 000002
【特許請求の範囲】
【請求項１】
支持部材と、
上記支持部材に対し予め決められた方向性を有して付設される部品と、
上記支持部材に設けられ、上記支持部材に対して上記部品を付設する方向を示すマークと、を具備することを特徴とする部品実装構造。
【請求項２】
請求項１の記載において、上記部品は、ケーブルであることを特徴とする部品実装構造。
【請求項３】
請求項１の記載において、上記部品は、上記支持部材に固定される本体と、この本体から引き出される柔軟なケーブルとを含み、上記マークは、上記本体を上記支持部材に固定した時に、上記本体からの上記ケーブルの引き出し方向を示すことを特徴とする部品実装構造。
【請求項４】
請求項１の記載において、上記部品は、任意な方向に移動可能な可動子を含み、上記マークは、上記部品を上記支持部材に付設する時の上記本体に対する上記可動子の位置を指定することを特徴とする部品実装構造。
【請求項５】
ケーブルを有する部品と、
上記部品を支持する支持部材と、
上記部品に設けられ、上記部品が上記支持部材に支持された時に、上記部品からのケーブルの引き出し方向を示すマークと、を具備することを特徴とする部品実装構造。
【請求項６】
請求項５の記載において、上記支持部材は、上記部品を保持する保持部と、上記ケーブルを引っ掛ける係止部とを有し、上記係止部は、上記マークと隣り合うことを特徴とする部品実装構造。
【請求項７】
ケーブルを有する部品と、
上記部品を支持する支持部材と、
上記支持部材に取り付けられ、上記支持部材との間で上記部品を保持するホルダと、を具備し、
上記ホルダは、上記部品からの上記ケーブルの引き出し方向を示すマークを有することを特徴とする部品実装構造。
【請求項８】
請求項１、請求項５および請求項７のいずれかの記載において、上記マークは、矢印であることを特徴とする部品実装構造。
【請求項９】
請求項７の記載において、上記マークは、上記支持部材に対する上記ホルダの向きを示すことを特徴とする部品実装構造。
【請求項１０】
請求項７の記載において、上記支持部材は、上記部品を保持する保持部と、上記ケーブルを引っ掛ける係止部とを有し、上記マークは、上記係止部と隣り合うことを特徴とする部品実装構造。
【発明の詳細な説明】
【技術分野】
【０００１】
本発明は、支持部材に対し予め決められた方向性を有して付設される部品の実装構造に係り、特に部品の方向づけをガイドするための構造に関する。
【背景技術】
【０００２】
従来、筐体の内部にマイクロホンを収容した電子機器が知られている。この種の電子機器に用いるマイクロホンは、マイク本体と、このマイク本体から引き出された柔軟なケーブルとを備えている。ケーブルは、その先端にコネクタを有し、このコネクタが筐体の内部のプリント配線板に接続されている。
【０００３】
従来の電子機器によると、マイクロホンのマイク本体は、筐体に形成されたマイク支持部に保持されている。そのため、筐体に対するマイク本体の位置が固定的に定まり、電子機器を組み立てる時に、マイク本体の取り付け位置や向きに迷いが生じることはない。
【０００４】
しかしながら、マイク本体から引き出されるケーブルは、柔軟で方向性が定まらないために、誤ってケーブルを正規のルートから外れた領域を通して配線することがあり得る。このため、電子機器を組み立てた時に、ケーブルが他の回路部品と干渉としたり、ケーブルの周囲に位置する部品に引っ掛かるのを否めない。
【０００５】
一方、特許文献１は、誤った組み立てを防止するようにした電源タップを開示している。この電源タップでは、ケース内に一対の端子板を配置するに当って、表側に位置する一方の端子板に矢印のマークを付している。
【０００６】
この構成によれば、マークを付した面を表面として端子板をケース内に配置することで、端子板の表と裏を間違えることがなくなり、端子板を正規の向きでケース内に組み込むことができる。
【特許文献１】実公平７−１９１０３号公報
【発明の開示】
【発明が解決しようとする課題】
【０００７】
特許文献１によると、矢印のマークは、このマークが付された部品自体の組み付け方向を指示するものであって、例えばこの部品に沿って付設される他の配線部品、あるいは部品から引き出される配線部品をケースに配置するに当って、この配線部品の方向づけをガイドする機能を欠いている。
【０００８】
この結果、特許文献１に開示されたマークを、従来の電子機器に内蔵されるマイクロホンに適用した場合、マイク本体にそれ自体の組み付け方向を示すマークが付設されるに止まる。
【０００９】
したがって、電子機器を組み立てる時に、マイク本体から引き出されたケーブルの配線方向を指定することができず、ケーブルが正規のルートから外れて引き回されたり、ケーブルの配線作業に手間を要するといった不具合が生じてくる。
【００１０】
本発明の目的は、支持部材に部品を付設する際に、部品の方向づけを確実かつ容易に行うことができ、作業性が向上するとともに、部品の誤った組み付けを防止できる部品実装構造を得ることにある。
【課題を解決するための手段】
【００１１】
上記目的を達成するため、本発明の一つの形態に係る部品実装構造は、  
支持部材と、  
上記支持部材に対し予め決められた方向性を有して付設される部品と、  
上記支持部材に設けられ、上記支持部材に対して上記部品を付設する方向を示すマークと、を備えていることを特徴としている。
【発明の効果】
【００１２】
本発明によれば、支持部材に対する部品の方向づけを確実かつ容易に行なうことができる。そのため、支持部材に部品を組み付ける際の作業性が向上するとともに、部品の誤った組み付けを防止することができる。
【発明を実施するための最良の形態】
【００１３】
以下本発明の第１の実施の形態を、図１ないし図６に基づいて説明する。
【００１４】
図１は、電子機器の一例であるポータブルコンピュータ１を開示している。ポータブルコンピュータ１は、本体ユニット２と表示ユニット３とを備えている。
【００１５】
本体ユニット２は、第１の筐体４を有している。第１の筐体４は、上面４ａ、前面４ｂおよび左右の側面４ｃを有する偏平な箱状をなしている。第１の筐体４は、例えばＣＰＵを実装したプリント配線板やハードディスク駆動装置のような主要な構成要素を収容している。第１の筐体４の上面４ａは、キーボード５を支持している。
【００１６】
さらに、第１の筐体４は、ボトムケース６と、このボトムケース６を上方から覆うトップカバー７とで構成されている。トップカバー７は、上面４ａを有するとともに、ボトムケース６と協働して第１の筐体４の前面４ｂを構成している。
【００１７】
表示ユニット３は、第２の筐体１０を有している。第２の筐体１０は、第１の筐体４と略同じ大きさの偏平な箱状をなしている。第２の筐体１０は、液晶表示パネル１１を収容している。液晶表示パネル１１は、表示面１１ａを有している。表示面１１ａは、第２の筐体１０の前面に開けた開口部１２を通じて表示ユニット３の外に露出している。
【００１８】
表示ユニット３は、ヒンジ機構１３を介して本体ユニット２の後端部に支持されている。表示ユニット３は、ヒンジ機構１３を支点として、本体ユニット２の上に横たわる閉じ位置と、本体ユニット２の後端部から起立する開き位置との間で回動可能となっている。
【００１９】
図２に示すように、第１の筐体４の前面４ｂに合成樹脂製のフロントパネル１５が取り付けられている。フロントパネル１５は、本発明に係る支持部材の一例であって、第１の筐体４の幅方向に延びる細長い板状をなしている。
【００２０】
図３および図４に示すように、フロントパネル１５は、第１ないし第３の係止片１６ａ，１６ｂ，１６ｃおよびねじ受け１７を有している。第１の係止片１６ａは、フロントパネル１５の長手方向に沿う一端に位置するとともに、第２の係止片１６ｂは、フロントパネル１５の長手方向に沿う他端に位置している。第３の係止片１６ｃは、フロントパネル１５の長手方向に沿う中間部に位置している。ねじ受け１７は、第１の係止片１６ａと第３の係止片１６ｃとの間に位置している。
【００２１】
このようなフロントパネル１５は、第１ないし第３の係止片１６ａ〜１６ｃをトップカバー７の前端部に引っ掛けるとともに、ねじ受け１７をトップカバー７の前端部にねじ止めすることで、トップカバー７に固定されている。
【００２２】
図２に示すように、フロントパネル１５は、例えばマイクジヤック１８を露出させる第１の通孔１９、イヤホンジヤック２０を露出させる第２の通孔２１およびボリュームダイヤル２２を露出させるスリット２３を有している。第１の通孔１９、第２の通孔２１およびスリット２３は、第１の筐体４の幅方向に間隔を存して一列に並んでいる。マイクジヤック１８、イヤホンジヤック２０およびボリュームダイヤル２２は、第１の筐体４の内部のプリント配線板に実装されている。
【００２３】
図３ないし図６に示すように、フロントパネル１５は、第１の保持部２５と第２の保持部２６とを有している。第１の保持部２５は、フロントパネル１５の長手方向に沿う一端に位置するとともに、このフロントパネル１５の長手方向に沿う中空の箱状をなしている。第１の保持部２５は、例えばＬＡＮスイッチを切り換える操作レバー２７を支持している。操作レバー２７は、可動子の一例であって、第１の保持部２５にスライド可能に支持されている。そのため、操作レバー２７は、第１の位置と第２の位置との間でフロントパネル１５の長手方向に直線的に往復動可能となっている。
【００２４】
操作レバー２７は、指掛け部２８および操作片２９を有している。指掛け部２８は、フロントパネル１５に開けた開口部３１を通じて第１の筐体４の前面４ｂに露出している。操作片２９は、第１の保持部２５から第１の筐体４の内部に向けて突出しており、その突出端がＬＡＮスイッチの可動接点に連携している。ＬＡＮスイッチは、第１の筐体４の内部のプリント配線板に実装されている。
【００２５】
したがって、オペレータが指先で指掛け部２８を押すと、操作レバー２７が第１の位置と第２の位置との間で任意な方向にスライドし、ＬＡＮスイッチの切り換え操作が実行される。
【００２６】
図４に示すように、フロントパネル１５の第２の保持部２６は、ねじ受け１７と第１の通孔１９との間に位置している。第２の保持部２６は、マイクロホン３２を支持している。マイクロホン３２は、フロントパネル１５に支持される部品の一例であって、音響振動から電気信号を得るマイク本体３３と、このマイク本体３３に接続されたケーブル３４とを含んでいる。
【００２７】
マイク本体３３は、円筒状をなしており、その一側に嵌合孔３５を有する凸部３６が形成されている。ケーブル３４は、柔軟性を有するため、マイク本体３３から任意な方向に引き出したり、曲げることができる。
【００２８】
第２の保持部２６は、マイク本体３３が嵌まり込むガイド壁３８と、マイク本体３３と対向する集音孔３９と、嵌合孔３５に対応する嵌合爪４０とを有している。マイク本体３３は、嵌合孔３５を嵌合爪４０に位置合せした状態でガイド壁３８の内側に嵌め込まれる。これにより、嵌合爪４０が嵌合孔３５の開口端に引っ掛かり、マイク本体３３が第２の保持部２６に仮止めされる。
【００２９】
さらに、本実施の形態では、フロントパネル１５の第２の保持部２６に第１および第２の係止爪４１ａ，４１ｂが形成されている。第１の係止爪４１ａおよび第２の係止爪４１ｂは、マイク本体３３を間に挟んで互いに向かい合うとともに、フロントパネル１５から第１の筐体４に向けて突出している。第１の係止爪４１ａと第２の係止爪４１ｂとでは、その形状が互いに異なっている。
【００３０】
図５および図６に示すように、第１および第２の係止爪４１ａ，４１ｂは、板金製のホルダ４３を支持している。ホルダ４３は、四角い板状をなしており、上記第２の保持部２６との間でマイク本体３３を挟み込んで保持している。これにより、マイク本体３３の振動が抑えられて、マイク本体３３の集音性能が高められている。
【００３１】
ホルダ４３は、第１および第２の係止孔４４ａ，４４ｂを有している。第１の係止孔４４ａは、第１の係止爪４１ａが係合可能な開口形状を有し、第２の係止孔４４ｂは、第２の係止爪４１ｂが係合可能な開口形状を有している。
【００３２】
そのため、ホルダ４３は、第１および第２の係止孔４４ａ，４４ｂに夫々第１および第２の係止爪４１ａ，４１ｂを引っ掛けることで第２の保持部２６に保持され、フロントパネル１５の反対側からマイク本体３３を覆っている。
【００３３】
図４ないし図６に示すように、フロントパネル１５の下部に第１ないし第３の係止部４５ａ，４５ｂ，４５ｃが形成されている。第１ないし第３の係止部４５ａ，４５ｂ，４５ｃは、フロントパネル１５の下部から第１の筐体４に向けて突出するとともに、第２の保持部２６の近傍からフロントパネル１５の他端に向けて互いに間隔を存して一列に並んでいる。
【００３４】
フロントパネル１５の他端に位置する第３の係止部４５ｃは、第１ないし第３のスリット４６ａ，４６ｂ，４６ｃを有している。スリット４６ａ，４６ｂ，４６ｃは、フロントパネル１５の長手方向に互いに間隔を存して一列に並んでいる。
【００３５】
図５に示すように、マイクロホン３２のケーブル３４は、第２の保持部２６に保持されたマイク本体３３から第１の係止部４５ａに向けて斜め下向きに引き出される。このケーブル３４は、第１の係止部４５ａの下方を通して第２の係止部４５ｂの上に引き出されるとともに、ここから第３の係止部４５ｃの下方に導かれる。さらに、ケーブル３４は、第１のスリット４６ａを通して第３の係止部４５ｃの上に引き出された後、第３のスリット４６ｃを通して再び第３の係止部４５ｃの下方に導かれる。
【００３６】
そのため、ケーブル３４は、第１ないし第３の係止部４５ａ，４５ｂ，４５ｃの間に跨るように架け渡されている。言い換えると、ケーブル３４は、フロントパネル１５の長手方向に沿うようにフロントパネル１５に保持されている。
【００３７】
図４ないし図６に示すように、本実施の形態では、ホルダ４３の中央部に矢印のマーク４８が付されている。マーク４８は、例えば刻印又は印刷等の手段によりホルダ４３に形成されている。マーク４８は、マイク本体３３からのケーブル３４の引き出し方向を表示するためのものである。マーク４８は、第１の係止部４５ａと隣り合うとともに、第１の係止部４５ａの方向を指し示ように、斜め下方を指向している。
【００３８】
そのため、ケーブル３４は、マーク４８の方向に沿うようにマイク本体３３から斜め下向きに引き出されており、フロントパネル１５に対して方向性が付与されている。
【００３９】
次に、マイクロホン３２をフロントパネル１５に取り付ける手順について説明する。
【００４０】
まず最初に、図４および図５に示すように、マイク本体３３を第２の保持部２６のガイド壁３８に嵌め込むとともに、凸部３６の嵌合孔３５に嵌合爪４０を刺し通して引っ掛ける。これにより、マイク本体３３が第２の保持部２６に仮止めされる。
【００４１】
次に、第２の保持部２６に仮止めされたマイク本体３３にホルダ４３を押し当て、ホルダ４３の第１および第２の係止孔４４ａ，４４ｂに第２の保持部２６から突出する第１および第２の係止爪４１ａ，４１ｂを引っ掛ける。
【００４２】
このことにより、ホルダ４３が第２の保持部２６に固定されるとともに、第２の保持部２６との間でマイク本体３３を挟み込んで保持する。よって、マイク本体３３がフロントパネル１５の定位置に固定される。
【００４３】
第１および第２の係止孔４４ａ，４４ｂは、夫々第１および第２の係止爪４１ａ，４１ｂが係合可能な開口形状を有するので、ホルダ４３の向きが逆の状態では、第１および第２の係止孔４４ａ，４４ｂに第１および第２の係止爪４１ａ，４１ｂを引っ掛けることができない。そのため、作業者は、ホルダ４３の向きが適正でないことを容易に知ることができ、ホルダ４３の誤った組み付けを未然に防止できる。
【００４４】
次に、マイク本体３４から導出されたケーブル３４をマーク４８が示す方向に引き出して、第１の係止部４５ａの下方に導く。そして、このケーブル３４を第１ないし第３の係止部４５ａ，４５ｂ，４５ｃに順次跨るように架け渡すことで、ケーブル３４をフロントパネル１５に固定する。
【００４５】
この結果、マイク本体３３およびケーブル３４がフロントパネル１５に固定され、フロントパネル１５に対するマイクロホン３２の組み付け作業が完了する。
【００４６】
フロントパネル１５は、マイクロホン３２の組み付けが完了した後、トップカバー７に固定される。この固定後にケーブル３４の先端に位置するコネクタ（図示せず）をプリント配線板に接続することで、マイクロホン３２の電気的な接続作業が完了する。
【００４７】
このような第１の実施の形態によれば、マイク本体３３を保持するホルダ４３にケーブル３４の引き出し方向を指し示すマーク４８を形成したので、柔軟で方向が定まらないケーブル３４をマーク４８の方向に引き出すことで、ケーブル３４を予め決められた正規のルートを通してフロントパネル１５の第１ないし第３の係止部４５ａ，４５ｂ，４５ｃに固定することができる。
【００４８】
このため、フロントパネル１５に対するケーブル３４の方向づけを確実かつ容易に行なうことができる。よって、フロントパネル１５にケーブル３４を組み付ける際の作業性が向上し、作業時間を短縮できるとともに、ケーブル３４の誤った組み付けを防止することができる。
【００４９】
それとともに、マーク４８は、ホルダ４３をフロントパネル１５の第２の保持部２６に組み付ける際の方向を指定するガイドとしても機能する。したがって、ホルダ４３の組み付け方向を容易に知ることができ、この点でも作業性の向上に寄与するといった利点がある。
【００５０】
本発明は上記第１の実施の形態に特定されるものではなく、発明の主旨を逸脱しない範囲内で種々変更して実施できる。
【００５１】
例えば図７および図８は、本発明の第２の実施の形態を開示している。
【００５２】
この第２の実施の形態によると、マイク本体３３は、嵌合孔３５に嵌合爪４０を引っ掛けることで、フロントパネル１５の第２の保持部２６に固定されている。
【００５３】
さらに、マイク本体３３は、フロントパネル１５の反対側に位置するフラットな面３３ａを有している。このフラットな面３３ａの中央部に、マイク本体３３からのケーブル３４の引き出し方向を指し示す矢印のマーク４８が付されている。マーク４８は、マイク本体３３が第２の保持部２６に固定された時に、第１の係止部４５ａの方向を指し示ように、斜め下方を指向している。そのため、ケーブル３４は、マーク４８の方向に沿うようにマイク本体３３から引き出されている。
【００５４】
このような構成によれば、柔軟で方向が定まらないケーブル３４をマーク４８の方向に引き出すことで、ケーブル３４を予め決められた正規のルートを通してフロントパネル１５の第１ないし第３の係止部４５ａ，４５ｂ，４５ｃに固定することができる。
【００５５】
したがって、第１の実施の形態と同様に、フロントパネル１５に対するケーブル３４の方向づけを確実かつ容易に行なうことができ、作業性が向上する。
【００５６】
図９および図１０は、本発明の第３の実施の形態を開示している。
【００５７】
第３の実施の形態は、フロントパネル１５にケーブル３４の引き出し方向をガイドする第１ないし第３のマーク５１ａ，５１ｂ，５１ｃを付した点が上記第１の実施の形態と相違している。それ以外のポータブルコンピュータ１の構成は、上記第１の実施の形態と同様である。
【００５８】
図９に示すように、第１ないし第３のマーク５１ａ，５１ｂ，５１ｃは、いずれも矢印となっている。第１のマーク５１ａは、フロントパネル１５の第２の保持部２６の下方に位置するとともに、第１の係止部４５ａの方向を示すように斜め下方を指向している。
【００５９】
第２のマーク５１ｂは、第２の係止部４５ｂの上面に位置している。第２のマーク５１ｂは、第３の係止部４５ｃの方向を指している。第３のマーク５１ｃは、第３の係止部４５ｃの上面に位置している。第３のマーク５１ｃは、第２のマーク５１ｂと同じ方向を指している。
【００６０】
図１０に示すように、フロントパネル１５の第２の保持部２６にホルダ４３を介してマイク本体３３を固定すると、マイク本体３３とケーブル３４との接続部分の真下に斜め下向きの第１のマーク５１ａが位置する。そのため、マイク本体３３から導出されたケーブル３４を第１のマーク５１ａが示す方向に引き出すことで、このケーブル３４を第１の係止部４５ａの下方に導くことができる。
【００６１】
第１の係止部４５ａの下方に導かれたケーブル３４は、第１の係止部４５ａの下方を通して第２の係止部４５ｂの上に導かれる。第２の係止部４５ｂの上面には、第３の係止部４５ｃを指向する第２のマーク５１ｂが位置するので、ケーブル３４を第２のマーク５１ｂが示す方向に沿って第２の係止部４５ｂの上面から第３の係止部４５ｃの下に導くことができる。
【００６２】
さらに、第３の係止部４５ｃの下方に導かれたケーブル３４は、第１のスリット４６ａを通して第３の係止部４５ｃの上に導かれる。第３の係止部４５ｃの上面には、第３のマーク５１ｃが位置するので、ケーブル３４を第３のマーク５１ｃが示す方向に沿って第３のスリット４６ｃに導くことができる。
【００６３】
このような構成によれば、柔軟で方向が定まらないケーブル３４を第１ないし第３のマーク５１ａ，５１ｂ，５１ｃが指し示す方向に沿って順々に導いていくことで、ケーブル３４を予め決められた正規のルートを通してフロントパネル１５の第１ないし第３の係止部４５ａ，４５ｂ，４５ｃに架け渡すことができる。
【００６４】
したがって、第１の実施の形態と同様に、フロントパネル１５に対するケーブル３４の方向づけを確実かつ容易に行なうことができ、作業性が向上する。
【００６５】
図１１は、本発明の第４の実施の形態を開示している。
【００６６】
第４の実施の形態では、ＬＡＮスイッチの操作レバー２７をフロントパネル１５に支持される部品の一例としている。操作レバー２７は、ＬＡＮスイッチとの連携を容易に行なえるように、例えば第１の位置にスライドさせた状態でフロントパネル１５の第１の保持部２５に組み付けるように指定されている。そのため、操作レバー２７は、予めフロントパネル１５に対する方向性が付与されている。
【００６７】
図１１に示すように、第１の保持部２５は、平坦な上面１５ａを有している。この上面１５ａの一端部に矢印のマーク６１が付されている。マーク６１は、操作レバー２７が第１の位置にスライドする時の操作レバー２７のスライド方向を指定している。そのため、操作レバー２７は、マーク６１が指す方向にスライドさせることで、第１の位置に保持される。
【００６８】
このような構成によれば、フロントパネル１５に組み付けられた操作レバー２７を、マーク６１を頼りに第１位置にスライドさせることができ、フロントパネル１５に対する操作レバー２７の方向付けを確実かつ容易に行なうことができる。したがって、操作レバー２７とＬＡＮスイッチの可動接点とを位置合せする際の作業性が向上するとともに、操作レバー２７のスライド位置の誤りを未然に防止することができる。
【００６９】
なお、本発明において、ケーブルの引き出し方向あるいは操作レバーのスライド方向を示すマークは、矢印に特定されるものではなく、例えばドットや文字のようなその他の表示を用いてもよい。
【００７０】
さらに、部品はマイクロホンや操作レバーに限らず、例えばフロントパネルに対し予め決められた方向性を有して配線されるケーブル単体であってもよい。
【００７１】
本発明に係る部品実装構造は、ポータブルコンピュータ用に限らず、柔軟なケーブルあるいは任意な方向に移動可能な操作子を有するその他の機器においても同様に実施可能である。
【図面の簡単な説明】
【００７２】
【図１】本発明の第１の実施の形態に係るポータブルコンピュータの斜視図。
【図２】本発明の第１の実施の形態において、本体ユニットのフロントパネルの部分を拡大して示すポータブルコンピュータの斜視図。
【図３】本発明の第１の実施の形態において、フロントパネルにマイクロホンを取り付けた状態を示す斜視図。
【図４】本発明の第１の実施の形態において、フロントパネル、マイクロホンおよびホルダの位置関係を分解して示す斜視図。
【図５】本発明の第１の実施の形態において、マイクロホンから引き出されたケーブルの配線経路を示す斜視図。
【図６】本発明の第１の実施の形態において、フロントパネルにホルダを介してマイクロホンを固定した状態を示す斜視図。
【図７】本発明の第２の実施の形態において、マークが付されたマイク本体とフロントパネルとの位置関係を示す斜視図。
【図８】本発明の第２の実施の形態において、マイクロホンから引き出されたケーブルの配線経路を示す斜視図。
【図９】本発明の第３の実施の形態において、マークが付されたフロントパネル、マイクロホンおよびホルダの位置関係を分解して示す斜視図。
【図１０】本発明の第３の実施の形態において、マイクロホンから引き出されたケーブルの配線経路を示す斜視図。
【図１１】本発明の第４の実施の形態において、マークが付されたフロントパネルと操作レバーとの位置関係を示す斜視図。
【符号の説明】
【００７３】
１５…支持部材（フロントパネル）、２７，３２…部品（操作レバー、マイクロホン）、３４…ケーブル、４３…ホルダ、４８，５１ａ，５１ｂ，５１ｃ，６１…マーク。
【図１】
2008021804.tif 000003
【図２】
2008021804.tif 000004
【図３】
2008021804.tif 000005
【図４】
2008021804.tif 000006
【図５】
2008021804.tif 000007
【図６】
2008021804.tif 000008
【図７】
2008021804.tif 000009
【図８】
2008021804.tif 000010
【図９】
2008021804.tif 000011
【図１０】
2008021804.tif 000012
【図１１】
2008021804.tif 000013